(57)【要約】【課題】画像記録後の用紙を排紙トレイにて受止めるプリンタにおいて、排紙トレイを引出すだけで、用紙の飛び出しを防止するストッパを自動的にセットできると共に、排紙トレイを閉じたときのデザイン性を向上できる。【解決手段】プリンタ１は、排紙口１２から排出される用紙２を受止める排紙トレイ７を備える。排紙トレイ７は、外装ケース８から引出自在な引出トレイ２０と、引出トレイ２０から引出自在な伸長トレイ３０と、中心からずれた位置で伸長トレイ３０に回転自在に軸支されるストッパ４０を備える。引出トレイ２０は、伸長トレイ３０の収納状態でストッパ４０を略平行な姿勢に保持する保持部２３を有する。引出トレイ２０から伸長トレイ３０を引出すと、保持部２３によるストッパ４０の保持が解除されて、ストッパ４０が自重により回転し、ストッパ４０の一端側が伸長トレイ３０の上面から突出する。【選択図】図１
2006016171.tif 000002
【特許請求の範囲】
【請求項１】
用紙に画像を記録する記録ヘッドと、前記記録ヘッドが内蔵される前記記録ヘッドによる画像記録後の用紙を排出する排紙口が形成された外装ケースと、前記外装ケースの排紙口から排出される用紙を受止める排紙トレイとを備えたプリンタにおいて、
前記排紙トレイは、前記排紙口の前方に引出し及び収納自在に前記外装ケースに支持された引出トレイと、前記引出トレイに支持され該引出トレイの前方に引出し及び収納自在でトレイを伸長するための伸長トレイと、前記排紙口から排出された用紙が前記伸長トレイから飛び出すのを防止する前記伸長トレイに設けられたストッパとを有し、
前記伸長トレイには、前記ストッパが起伏するための開口空間部が形成されており、
前記ストッパは、前記開口空間部の形状と略合致する形状の平板状であり、自重によって前記伸長トレイの上面に対して略９０°の姿勢に保持され得るように、中心からずれた位置で前記開口空間部内に回動自在に軸支されており、前記伸長トレイの上面に対して略９０°の姿勢では、一端側が前記伸長トレイの上面よりも上方に突出すると共に、他端側が前記伸長トレイの底面よりも下方に突出し、前記伸長トレイの上面に対して略平行な姿勢では、前記開口空間部を塞いで、前記伸長トレイの上面と略同一平面を形成し、
前記引出トレイは、前記伸長トレイが当該引出トレイに収納されるとき、前記ストッパの他端側に当接して前記ストッパを回動させて、前記ストッパを前記伸長トレイの上面に対して略平行な姿勢に保持する保持部を有し、
前記伸長トレイを前記引出トレイから引出していくと、前記ストッパが前記保持部による保持が解除されて自重により回動し、前記ストッパの一端側が前記伸長トレイの上面から突出することを特徴とするプリンタ。
【請求項２】
用紙に画像を記録する記録ヘッドと、前記記録ヘッドが内蔵される前記記録ヘッドによる画像記録後の用紙を排出する排紙口が形成された外装ケースと、前記外装ケースの排紙口から排出される用紙を受止める排紙トレイとを備えたプリンタにおいて、
前記排紙トレイは、前記排紙口の前方に引出し及び収納自在でトレイを伸長するための伸長トレイと、前記排紙口から排出された用紙が前記伸長トレイから飛び出すのを防止する前記伸長トレイに設けられたストッパとを有し、
前記伸長トレイには、前記ストッパが起伏するための開口空間部が形成されており、
前記ストッパは、自重によって一端側が前記伸長トレイの上面よりも上方に突出すると共に他端側が前記伸長トレイの底面よりも下方に突出する姿勢に保持され得るように、前記開口空間部内に回動自在に軸支されており、
前記伸長トレイが収納されるとき、前記ストッパの他端側に当接して前記ストッパを回動させて、前記ストッパを前記ストッパの一端側が前記伸長トレイの上面から突出しない姿勢に保持する保持部をさらに有し、
前記伸長トレイを引出していくと、前記ストッパが前記保持部による保持が解除されて自重により回動し、前記ストッパの一端側が伸長トレイの上面から突出することを特徴とするプリンタ。
【請求項３】
前記ストッパは、前記開口空間部の形状と略合致する形状の平板状であり、前記伸長トレイの上面に対して略平行な姿勢では、前記開口空間部を塞いで前記伸長トレイの上面と略同一平面を形成し、
前記保持部は、前記伸長トレイが収納されるとき、前記ストッパを前記伸長トレイの上面に対して略平行な姿勢に保持する請求項２に記載のプリンタ。
【発明の詳細な説明】
【技術分野】
【０００１】
本発明は、用紙に画像を記録し、画像記録後の用紙を排紙トレイにて受止めるプリンタに関するものである。
【背景技術】
【０００２】
従来から、用紙に画像を記録するプリンタにおいて、記録ヘッドにより用紙に画像を記録し、画像記録後の用紙を外装ケースの排紙口から排出し、その画像記録後の用紙を排紙トレイにて受止めるものがある。このようなプリンタでは、排紙トレイに上向きの傾斜を付けて、排紙口から排出された用紙が排紙トレイから飛び出さないように対応している。
【０００３】
また、排出される用紙の移動を停止させるためのストッパを回転自在に軸支し、ストッパの指掛部に指を掛けてストッパを引き起すことにより、排出される用紙の移動をストッパにより停止できるようにした排紙トレイが知られている（例えば、特許文献１参照）。また、斜め上方に傾斜したストッパ部が形成されたワイヤトレイを引出トレイの排紙方向先端に設けることにより、排紙口から排出された用紙がワイヤトレイのストッパ部に突き当たって脱落しないようにした排紙トレイが知られている（例えば、特許文献２参照）。
【特許文献１】実開昭５５−３５５５０号公報
【特許文献２】特開２００２−１１４４３４号公報
【発明の開示】
【発明が解決しようとする課題】
【０００４】
ところが、上述した従来のプリンタにおいては、用紙を排出するとき、用紙と排紙トレイとの間に生じる静電気に加え、排紙トレイに上向きの傾斜が付いていることにより、用紙を排紙口から排出しきれないことがある。そこで、排紙トレイに傾斜を付けずに、代わりに、用紙の移動を停止させるストッパを排紙トレイに設けることにより、用紙が排紙トレイから飛び出さないように対応することが考えられる。
【０００５】
しかしながら、このようにストッパを排紙トレイに設ける場合、デザイン上、ストッパを目立たなくすることが望まれており、そのためには、ストッパを可動式にして、プリンタを使用するときにストッパをセットし、プリンタを使用しないときにストッパを収納する構造が考えられる。また、このようにストッパを可動式にする場合、ユーザによるストッパのセット操作、収納操作を簡易にすることが望まれる。なお、上述した特許文献１及び特許文献２に開示の内容を適用したとしても、上記の課題を解決することはできない。
【０００６】
本発明は、上記課題を解決するためになされたものであり、排紙トレイを引出すだけで、用紙の飛び出しを防止するストッパを自動的にセットできると共に、排紙トレイを閉じたときのデザイン性を向上できるプリンタを提供することを目的とする。
【課題を解決するための手段】
【０００７】
上記目的を達成するために請求項１の発明は、用紙に画像を記録する記録ヘッドと、記録ヘッドが内蔵される記録ヘッドによる画像記録後の用紙を排出する排紙口が形成された外装ケースと、外装ケースの排紙口から排出される用紙を受止める排紙トレイとを備えたプリンタにおいて、排紙トレイは、排紙口の前方に引出し及び収納自在に外装ケースに支持された引出トレイと、引出トレイに支持され該引出トレイの前方に引出し及び収納自在でトレイを伸長するための伸長トレイと、排紙口から排出された用紙が伸長トレイから飛び出すのを防止する伸長トレイに設けられたストッパとを有し、伸長トレイには、ストッパが起伏するための開口空間部が形成されており、ストッパは、開口空間部の形状と略合致する形状の平板状であり、自重によって伸長トレイの上面に対して略９０°の姿勢に保持され得るように、中心からずれた位置で開口空間部内に回動自在に軸支されており、伸長トレイの上面に対して略９０°の姿勢では、一端側が伸長トレイの上面よりも上方に突出すると共に、他端側が伸長トレイの底面よりも下方に突出し、伸長トレイの上面に対して略平行な姿勢では、開口空間部を塞いで、伸長トレイの上面と略同一平面を形成し、引出トレイは、伸長トレイが当該引出トレイに収納されるとき、ストッパの他端側に当接してストッパを回動させて、ストッパを伸長トレイの上面に対して略平行な姿勢に保持する保持部を有し、伸長トレイを引出トレイから引出していくと、ストッパが保持部による保持が解除されて自重により回動し、ストッパの一端側が伸長トレイの上面から突出するものである。
【０００８】
請求項２の発明は、用紙に画像を記録する記録ヘッドと、記録ヘッドが内蔵される記録ヘッドによる画像記録後の用紙を排出する排紙口が形成された外装ケースと、外装ケースの排紙口から排出される用紙を受止める排紙トレイとを備えたプリンタにおいて、排紙トレイは、排紙口の前方に引出し及び収納自在でトレイを伸長するための伸長トレイと、排紙口から排出された用紙が伸長トレイから飛び出すのを防止する伸長トレイに設けられたストッパとを有し、伸長トレイには、ストッパが起伏するための開口空間部が形成されており、ストッパは、自重によって一端側が伸長トレイの上面よりも上方に突出すると共に他端側が伸長トレイの底面よりも下方に突出する姿勢に保持され得るように、開口空間部内に回動自在に軸支されており、伸長トレイが収納されるとき、ストッパの他端側に当接してストッパを回動させて、ストッパをストッパの一端側が伸長トレイの上面から突出しない姿勢に保持する保持部をさらに有し、伸長トレイを引出していくと、ストッパが保持部による保持が解除されて自重により回動し、ストッパの一端側が伸長トレイの上面から突出するものである。
【０００９】
請求項３の発明は、請求項２に記載のプリンタにおいて、ストッパは、開口空間部の形状と略合致する形状の平板状であり、伸長トレイの上面に対して略平行な姿勢では、開口空間部を塞いで伸長トレイの上面と略同一平面を形成し、保持部は、伸長トレイが収納されるとき、ストッパを伸長トレイの上面に対して略平行な姿勢に保持するものである。
【発明の効果】
【００１０】
請求項１の発明によれば、伸長トレイを引出すだけで、ストッパの一端側が自動的に伸長トレイの上面から突出し、これにより、排紙口から排出される用紙をストッパにて停止させることができ、用紙が排紙トレイから飛び出すのを防止できる。また、伸長トレイを収納すると、ストッパの一端側は自動的に伸長トレイの上面から突出しなくなり、これにより、ストッパが目立たなくなり、伸長トレイを収納したときのデザイン性が向上する。しかも、伸長トレイを収納したとき、ストッパは伸長トレイの開口空間部を塞いで伸長トレイの上面と略同一平面を形成し、これにより、伸長トレイを収納したときのデザイン性がより一層向上する。
【００１１】
請求項２の発明によれば、伸長トレイを引出すだけで、ストッパの一端側が自動的に伸長トレイの上面から突出し、これにより、排紙口から排出される用紙をストッパにて停止させることができ、用紙が排紙トレイから飛び出すのを防止できる。また、伸長トレイを収納すると、ストッパの一端側は自動的に伸長トレイの上面から突出しなくなり、これにより、ストッパが目立たなくなり、伸長トレイを収納したときのデザイン性が向上する。
【００１２】
請求項３の発明によれば、伸長トレイを収納したとき、ストッパは伸長トレイの開口空間部を塞いで伸長トレイの上面と略同一平面を形成し、これにより、伸長トレイを収納したときのデザイン性がより一層向上する。
【発明を実施するための最良の形態】
【００１３】
以下、本発明を具体化した実施形態によるプリンタについて図面を参照して説明する。図１（ａ）（ｂ）（ｃ）は、プリンタの構成を示す。プリンタ１は、例えばデジタルカメラやパソコン等から入力される画像データを基に用紙２に画像を記録するものである。プリンタ１は、用紙２が載置されるペーパレスト３と、用紙２を搬送する給紙ローラ４及びフィードローラ５と、用紙２に画像を記録する記録ヘッド６と、画像記録後の用紙２を受止める排紙トレイ７と、給紙ローラ４、フィードローラ５、及び記録ヘッド６を内蔵する外装ケース８とを備える。外装ケース８には、用紙２を供給するための給紙口１１と、用紙２を排出するための排紙口１２が設けられている。
【００１４】
用紙２は、Ａ４サイズやレターサイズ等の任意のサイズのものが用いられ、１枚又は複数枚のものが重ねて、その下端側が外装ケース８の給紙口１１に挿入されて、ペーパレスト３に載置される。給紙ローラ４は、ペーパレスト３に載置されている用紙２をフィードローラ５へと搬送する。フィードローラ５は、給紙ローラ４から搬送される用紙２を、記録ヘッド６の下方を通して、外装ケース８の排紙口１２へと搬送する。記録ヘッド６は、フィードローラ５により搬送される用紙２に画像を記録する。
【００１５】
排紙トレイ７は、排紙口１２の前方に引出し及び収納自在になっており、外装ケース８に対して引出し及び収納自在な引出トレイ２０と、引出トレイ２０に対して引出し及び収納自在な伸長トレイ３０とを有している。また、排紙トレイ７は、排紙口１２から排出される用紙２が排紙トレイ７から飛び出すのを防止するストッパ４０を有している。ストッパ４０は、伸長トレイ３０に回転自在に軸支されており、伸長トレイ３０を引出トレイ２０から引出すと、縦に起き上がった姿勢に保持され、伸長トレイ３０を引出トレイ２０に収納すると、横に伏せた姿勢に保持されるようになっている。排紙トレイ７の詳細については後述する。
【００１６】
このような構成のプリンタ１は、ペーパレスト３に載置された用紙２を給紙ローラ４及びフィードローラ５により搬送し、記録ヘッド６により用紙２に画像を記録した後、画像記録後の用紙２を外装ケース８の排紙口１２から排出する。このとき、伸長トレイ３０を引出トレイ２０から引出しておくことにより、排紙口１２から排出される用紙２は、ストッパ４０により停止されることになり、飛び出すことなく排紙トレイ７にて受止められる。
【００１７】
図２は、上記排紙トレイ７の構成を示す。排紙トレイ７は、上述のように、引出トレイ２０と、伸長トレイ３０と、ストッパ４０とを備える。引出トレイ２０は、該引出トレイ２０を上記外装ケース８に対して引出し及び収納自在とするための引出レール部２１を有しており、引出レール部２１が外装ケース８のケース溝部（不図示）にスライド自在に係合されることにより、外装ケース８に対して引出し及び収納自在とされる。また、引出トレイ２０は、伸長トレイ３０を引出し及び収納自在に支持するための引出溝部２２と、ストッパ４０の姿勢を変化させ、保持するための保持部２３とを有する。
【００１８】
伸長トレイ３０は、該伸長トレイ３０を引出トレイ２０に対して引出し及び収納自在とするための伸長レール部３１を有しており、伸長レール部３１が引出トレイ２０の引出溝部２２にスライド自在に係合されることにより、引出トレイ２０の上方にて、引出トレイ２０に対して引出し及び収納自在とされる。また、伸長トレイ３０には、ストッパ４０が起伏するための開口空間部３２と、ストッパ４０を回転自在に軸支するための軸受孔３３が形成されている。
【００１９】
ストッパ４０は、軸部４１を有しており、軸部４１が伸長トレイ３０の軸受孔３３に挿入されて、伸長トレイ３０の開口空間部３２内に回転自在に軸支される。軸部４１は、ストッパ４０の中心からずれた位置に設けられており、これにより、ストッパ４０は、自重によって、伸長トレイ３０の上面に対して略９０°の姿勢に保持され得るようになっている。ストッパ４０が伸長トレイ３０の上面に対して略９０°になった姿勢では、ストッパ４０の一端側４０ａ（軸部４１までの距離が短い側）が伸長トレイ３０の上面よりも上方に突出すると共に、ストッパ４０の他端側４０ｂ（軸部４１までの距離が長い側）が伸長トレイ３０の底面よりも下方に突出する。
【００２０】
また、ストッパ４０は、他端側４０ｂの底面に突起部４２を有しており、伸長トレイ３０を引出トレイ２０に収納した際に、突起部４２が引出トレイ２０の保持部２３に接触することにより、伸長トレイ３０の上面に対して略平行な姿勢に保持されるようになっている。ストッパ４０は、伸長トレイ３０の開口空間部３２の形状と略合致する形状の平板状であり、ストッパ４０が伸長トレイ３０の上面に対して略平行になった姿勢では、ストッパ４０が開口空間部３２を塞いで伸長トレイ３０の上面と略同一平面を形成する。
【００２１】
図３（ａ）（ｂ）（ｃ）は、上記排紙トレイ７の動作を示す。まず、図３（ａ）に示すように、伸長トレイ３０を引出トレイ２０から引出した状態では、ストッパ４０の下方には、引出トレイ２０の保持部２３がなく、従って、ストッパ４０は、自重により、伸長トレイ３０の上面に対して略９０°の姿勢に保持され、ストッパ４０の一端側４０ａが伸長トレイ３０の上面よりも上方に突出すると共に、ストッパ４０の他端側４０ｂが伸長トレイ３０の底面よりも下方に突出する。この状態では、上記図１（ｃ）に示すように、排紙口１２から排出される用紙２は、ストッパ４０により停止されることになり、排紙トレイ７から飛び出すことが防止される。
【００２２】
この状態から、図３（ｂ）に示すように、伸長トレイ３０を引出トレイ２０に収納していく（図中矢印Ａ方向に押し込んでいく）と、伸長トレイ３０の底面よりも下方に突出したストッパ４０の他端側４０ｂが引出トレイ２０の保持部２３の先端に当接し、これにより、ストッパ４０は、他端側４０ｂが保持部２３に押し上げられて回転（図中矢印Ｂ方向に回転）される。
【００２３】
さらに、図３（ｃ）に示すように、伸長トレイ３０を最後まで引出トレイ２０に収納すると、突起部４２の下端が保持部２３の上面に乗り上げ、これにより、ストッパ４０は、伸長トレイ３０の上面に対して略平行な姿勢に保持される。この状態では、上記図１参照（ａ）（ｂ）に示すように、ストッパ４０は、伸長トレイ３０の開口空間部３２を塞いで伸長トレイ３０の上面と略同一平面を形成し、ストッパ４０が目立たなくなる。
【００２４】
また、伸長トレイ３０を引出トレイ２０から引出していくと、保持部２３によるストッパ４０の保持が解除され、これにより、ストッパ４０は、自重により回転して、上記図３（ａ）に示すように、自重により伸長トレイ３０の上面に対して略９０°の姿勢に保持される。
【００２５】
このような構成のプリンタ１によれば、伸長トレイ３０を引出トレイ２０から引出すだけで、ストッパ４０の一端側４０ａが自動的に伸長トレイ３０の上面から突出し、これにより、排紙口１２から排出される用紙２をストッパ４０にて停止させることができ、用紙２が排紙トレイ７から飛び出すのを防止できる。また、伸長トレイ３０を引出トレイ２０に収納すると、ストッパ４０の一端側４０ａは自動的に伸長トレイ３０の上面から突出しなくなり、これにより、ストッパ４０が目立たなくなり、伸長トレイ３０を収納したときのデザイン性が向上する。しかも、伸長トレイ３０を収納したとき、ストッパ４０は伸長トレイ３０の開口空間部３２を塞いで伸長トレイ３０の上面と略同一平面を形成するため、デザイン性がより一層向上する。
【００２６】
なお、本発明は、上記実施形態の構成に限られず、種々の変形が可能である。例えば、上記実施形態において、排紙トレイ７は、引出トレイ２０を備えていなくてもよい。この場合、伸長トレイ３０を外装ケース８に対して引出し及び収納自在にし、保持部２３を外装ケース８に設ければよい。ストッパ４０は、用紙２の排出方向と垂直な方向に複数設けられていてもよい。ストッパ４０は、軸部４１をストッパ４０の中心からずれた位置に設けたものに限られず、ストッパ４０の厚みや形状により又は錘を設けることによりバランスを調整して、自重によって伸長トレイ３０の上面に対して略９０°の姿勢に保持され得るようにしてもよい。
【図面の簡単な説明】
【００２７】
【図１】（ａ）は本発明の一実施形態に係るプリンタの概略構成を示す排紙トレイ収納状態の斜視図、（ｂ）は同排紙トレイの引出トレイを引出した状態の部分斜視図、（ｃ）は同排紙トレイの引出トレイ及び伸長トレイを引出した状態の部分斜視図。
【図２】同プリンタの排紙トレイの構成を示す分解斜視図。
【図３】同排紙トレイの組立てた状態での図２のＩＩ−ＩＩ線断面に相当する図であり、（ａ）は伸長トレイを引出トレイから引出した状態での断面図、（ｂ）は同伸長トレイを引出トレイに収納する途中の断面図、（ｃ）は同伸長トレイを引出トレイに収納した状態の断面図。
【符号の説明】
【００２８】
１    プリンタ
２    用紙
３    ペーパレスト
４    給紙ローラ
５    フィードローラ
６    記録ヘッド
７    排紙トレイ
８    外装ケース
１１    給紙口
１２    排紙口
２０    引出トレイ
２３    保持部
３０    伸長トレイ
３２    開口空間部
３３    軸受孔
４０    ストッパ
４０ａ    ストッパの一端側
４０ｂ    ストッパの他端側
４１    軸部
４２    突起部
【図１】
2006016171.tif 000003
【図２】
2006016171.tif 000004
【図３】
2006016171.tif 000005